(57)【特許請求の範囲】
【請求項１】
少なくとも、胸部骨格と、該胸部骨格の上方に連結された首部骨格と、該胸部骨格の下方に連結された胴部骨格と、前記胸部骨格の左右側方に連結された一対の肩部骨格とを含む骨格構造を備え、該骨格構造を軟質樹脂製の外皮で覆ってなる軟質樹脂製人形の胸部骨格構造において、
前記胸部骨格は、
胴部骨格と首部骨格を結ぶ背骨軸と、
左右の肩部骨格を連結する左右の肩部骨格支持部と、
左右の肩部骨格支持部を連結して左右の肩部骨格をそれぞれ人形の前後方向に回動可能な左右の肩部前後回動構造とを含み、
左右の肩部前後回動構造は、前記背骨軸の鉛直方向でそれぞれ上下に外嵌され、背骨軸を中心としてそれぞれ同一軸を中心に水平方向に回動する左右の水平方向回動部を含むことを特徴とする軟質樹脂製人形の胸部骨格構造。
【請求項２】
少なくとも、胸部骨格と、該胸部骨格の上方に連結された首部骨格と、該胸部骨格の下方に連結された胴部骨格と、前記胸部骨格の左右側方に連結された一対の肩部骨格とを含む骨格構造を備え、該骨格構造を軟質樹脂製の外皮で覆ってなる軟質樹脂製人形の胸部骨格構造において、
前記胸部骨格は、
胴部骨格と首部骨格を結ぶ背骨軸と、
左右の肩部骨格を連結する左右の肩部骨格支持部と、
左右の肩部骨格支持部を連結して左右の肩部骨格をそれぞれ人形の上下方向に回動可能な左右の肩部上下回動構造とを含み、
左右の肩部上下回動構造は、前記背骨軸側に連結され、前記背骨軸の軸線に対して水平方向の回動部支持穴を備えた回動部支持部と、前記回動部支持穴に連結されて上下方向に回動する上下方向回動部を含み、
肩部骨格支持部は、前記上下方向回動部に備えられていることを特徴とする軟質樹脂製人形の胸部骨格構造。
【請求項３】
少なくとも、胸部骨格と、該胸部骨格の上方に連結された首部骨格と、該胸部骨格の下方に連結された胴部骨格と、前記胸部骨格の左右側方に連結された一対の肩部骨格とを含む骨格構造を備え、該骨格構造を軟質樹脂製の外皮で覆ってなる軟質樹脂製人形の胸部骨格構造において、
前記胸部骨格は、
胴部骨格と首部骨格を結ぶ背骨軸と、
左右の肩部骨格を連結する左右の肩部骨格支持部と、
肩部骨格を人形の前後方向に回動可能な肩部前後回動構造と、
肩部骨格を人形の上下方向に回動させる肩部上下回動構造とを備え、
肩部前後回動構造は、前記背骨軸の鉛直方向でそれぞれ上下に外嵌されて、該背骨軸の周りをそれぞれ水平方向に回動する左右の水平方向回動部を含み、
肩部上下回動構造は、前記水平方向回動部の側方に備えられ、前記背骨軸の軸線に対して水平方向の回動部支持穴を備えた回動部支持部と、該回動部支持穴に連結されて上下方向に回動する上下方向回動部を含み、
肩部骨格支持部は、前記上下方向回動部に備えられていることを特徴とする軟質樹脂製人形の胸部骨格構造。
【請求項４】
肩部前後回動構造は、水平方向回動部の側方に板状部材を備え、
回動部支持部は、前記板状部材の下端に備えられ、
背骨軸の後側には、左右の水平方向回動部がそれぞれ後方に回動した際に、板状部材の後面が当接してそれ以上の回動を制限する突起がそれぞれ左右に突出していることを特徴とする請求項３に記載の軟質樹脂製人形の胸部骨格構造。
【請求項５】
背骨軸の前方には、軟質合成樹脂製の外皮のバスト上部に形成されるデコルテ部が凹まないように、内部側から前記デコルテ部を支持するための前方突起が備えられており、
前方突起は、背骨軸側から前方に向けて下り傾斜状に延出して備えられていることを特徴とする請求項１乃至４のいずれかに記載の軟質樹脂製人形の胸部骨格構造。
【発明の詳細な説明】
【技術分野】
【０００１】
本発明は、硬質樹脂の骨格を備え、該骨格の周りを軟質樹脂製の外皮で覆った軟質樹脂製の人形に関する。
なお、本明細書において、人形とは、胴体と脚部と腕部と頭部を備えた人形に限らず、頭部や脚部又は腕部を備えない人形も含む概念とする。
また、人間の形状に限られず、胸部骨格を備えていれば、犬猫等の動物やあるいはロボット等の非生物をも含み、衣服や服飾品等の製品の使用状態を展示するために用いられる人形の全てが対象とされる。
【背景技術】
【０００２】
昨今の人形業界において、特にフィギュアと称される人間の身体（裸体）形態を忠実に模写した構成を有する人形が需要者に人気を得ている。
このフィギュアなる人形は、一般に女児等が手に持って遊んだり、単に着せ替えをして遊んだりすることもあるが、昨今フィギュアの需要者層も変化してきており、特に成人男性などの需要者も多くなってきていることからも、その遊び方が変わってきている。
すなわち、手足や腰などが可動するフィギュアでは、例えば裸のまま、若しくは様々な衣装を着せた状態で、思い思いの姿勢を取らせ、その姿勢を維持させたまま棚やケース内などに飾ったり、あるいは写真撮影をしたりして楽しむ趣向がある。なお、手足や腰などが動かない人形にあっても、需要者の好みにあった衣装などを着せて飾ったり、写真撮影をしたりしている。
また、例えば、美術用デッサンなどで使用される可動人形にあっては、手足や腰などを任意に折り曲げて、デッサンしたい姿勢を取らせ、それをデッサンしていたものである。
【０００３】
上述のような場合、人間が行なう所作のポーズを人形に置き換えて表現するため、少しでも人間の身体の動きに忠実なポージングが望まれている。そのような要望に応えるため、本願出願人は、従来から、腕や脚などの身体の各関節箇所にて屈曲作動できる骨格構造を軟質樹脂製の外皮で覆ってなる軟質樹脂製の人形を開発し、提供している（特許文献１参照）。
上記軟質樹脂製の人形の骨格構造では、胸部骨格と、胸部骨格に接続された一対の肩部骨格と、該胸部骨格の上方に連結された首部骨格と、下方に連結された胴部骨格と、胴部骨格の下方に連結された腰部骨格と、腰部骨格に接続された左右の脚部骨格とで構成され、左右の脚部骨格から左右の腕部骨格および首部骨格までが一体に連結されている（特許文献１の図１参照）。
そして、腕部骨格は、人形の側面まで延設された腕部骨格連結部を備え、該連結部に胸部骨格が回動可能に差し込まれて接続されている。
【０００４】
ところで、実際の人間は、胸部から肩部の可動範囲が大きく、その部分の位置関係によって、屈強さや妖艶さが顕著に表現されて看者が受ける印象が変化する。そのような印象の一例を挙げれば、なで肩であれば艶やかな印象になり、いかり肩であれば大柄で屈強そうに見える。また、猫背であれば華奢な印象となり、鳩胸であれば豊満で明るい印象となる。
また、上記胸部から肩部に複雑な動作をさせることによって、様々な運動をしている。例えば、格闘技においては、片方の肩を前に出して腕を体の前側に持ってくることによって防御とする一方で、他方の肩を体の後側にそらせて、攻撃の力を溜めるような姿勢をとることがあるが、左右の肩を前後上下に自由に動かせるからこそ、このような姿勢をとることができる。
或いは、両肩を前にだして、両腕を体の中央方向に絞り込むことで、豊満なバストを強調することができ、そのようなポーズをしたタレントに人気があったりもする。
そこで、上記従来の人形にさらなる表現力を持たせるため、より実際の人間に近づいた動きを実現する胸部骨格構造が望まれていた。
【特許文献１】特開２００４−２２２９３５号公報
【発明の開示】
【発明が解決しようとする課題】
【０００５】
本発明の目的は、肩部骨格の可動範囲が大きく、躍動感のある豊かな表現力を備えた軟質樹脂製人形の胸部骨格構造を提供することである。
【課題を解決するための手段】
【０００６】
上記課題を達成するために第１の発明がなした技術的手段は、少なくとも、胸部骨格と、該胸部骨格の上方に連結された首部骨格と、該胸部骨格の下方に連結された胴部骨格と、前記胸部骨格の左右側方に連結された一対の肩部骨格とを含む骨格構造を備え、該骨格構造を軟質樹脂製の外皮で覆ってなる軟質樹脂製人形の胸部骨格構造において、前記胸部骨格は、胴部骨格と首部骨格を結ぶ背骨軸と、左右の肩部骨格を連結する左右の肩部骨格支持部と、左右の肩部骨格支持部を連結して左右の肩部骨格をそれぞれ人形の前後方向に回動可能な左右の肩部前後回動構造とを含み、左右の肩部前後回動構造は、前記背骨軸の鉛直方向でそれぞれ上下に外嵌され、背骨軸を中心としてそれぞれ同一軸を中心に水平方向に回動する左右の水平方向回動部を含むことを特徴とする軟質樹脂製人形の胸部骨格構造としたことである。
また、第２の発明は、少なくとも、胸部骨格と、該胸部骨格の上方に連結された首部骨格と、該胸部骨格の下方に連結された胴部骨格と、前記胸部骨格の左右側方に連結された一対の肩部骨格とを含む骨格構造を備え、該骨格構造を軟質樹脂製の外皮で覆ってなる軟質樹脂製人形の胸部骨格構造において、前記胸部骨格は、胴部骨格と首部骨格を結ぶ背骨軸と、左右の肩部骨格を連結する左右の肩部骨格支持部と、左右の肩部骨格支持部を連結して左右の肩部骨格をそれぞれ人形の上下方向に回動可能な左右の肩部上下回動構造とを含み、左右の肩部上下回動構造は、前記背骨軸側に連結され、前記背骨軸の軸線に対して水平方向の回動部支持穴を備えた回動部支持部と、前記回動部支持穴に連結されて上下方向に回動する上下方向回動部を含み、肩部骨格支持部は、前記上下方向回動部に備えられていることを特徴とする軟質樹脂製人形の胸部骨格構造としたことである。
さらに、第３の発明は、少なくとも、胸部骨格と、該胸部骨格の上方に連結された首部骨格と、該胸部骨格の下方に連結された胴部骨格と、前記胸部骨格の左右側方に連結された一対の肩部骨格とを含む骨格構造を備え、該骨格構造を軟質樹脂製の外皮で覆ってなる軟質樹脂製人形の胸部骨格構造において、前記胸部骨格は、胴部骨格と首部骨格を結ぶ背骨軸と、左右の肩部骨格を連結する左右の肩部骨格支持部と、肩部骨格を人形の前後方向に回動可能な肩部前後回動構造と、肩部骨格を人形の上下方向に回動させる肩部上下回動構造とを備え、肩部前後回動構造は、前記背骨軸の鉛直方向でそれぞれ上下に外嵌されて、該背骨軸の周りをそれぞれ水平方向に回動する左右の水平方向回動部を含み、肩部上下回動構造は、前記水平方向回動部の側方に備えられ、前記背骨軸の軸線に対して水平方向の回動部支持穴を備えた回動部支持部と、該回動部支持穴に連結されて上下方向に回動する上下方向回動部を含み、肩部骨格支持部は、前記上下方向回動部に備えられていることを特徴とする軟質樹脂製人形の胸部骨格構造としたことである。
また、第４の発明は、第３の発明において、肩部前後回動構造は、水平方向回動部の側方に板状部材を備え、回動部支持部は、前記板状部材の下端に備えられ、背骨軸の後側には、左右の水平方向回動部がそれぞれ後方に回動した際に、板状部材の後面が当接してそれ以上の回動を制限する突起がそれぞれ左右に突出していることを特徴とする軟質樹脂製人形の胸部骨格構造としたことである。
また、第５の発明は、第１の発明乃至第４の発明のいずれかにおいて、背骨軸の前方には、軟質合成樹脂製の外皮のバスト上部に形成されるデコルテ部が凹まないように、内部側から前記デコルテ部を支持するための前方突起が備えられており、前方突起は、背骨軸側から前方に向けて下り傾斜状に延出して備えられていることを特徴とする軟質樹脂製人形の胸部骨格構造としたことである。
【発明の効果】
【０００７】
本発明によれば、肩部骨格の可動範囲が大きく、躍動感のある豊かな表現力を備えた軟質樹脂製人形の胸部骨格構造を提供することができるようになった。
【発明を実施するための最良の形態】
【０００８】
以下、本発明の一実施形態を図に基づいて説明する。
図は、本発明の一実施形態を示すものであって、特に限定されるものではなく本発明の範囲内において適宜構成が追加・変更されることがある。また、本実施形態では、人間を模写した人形を代表例として説明するが、ロボットタイプ、怪獣タイプなどの種々の外観形状を有する人形に適用される。
【０００９】
図面は、軟質樹脂製人形の胸部骨格構造Ｃを示し、図１（ａ）は、胸部骨格構造Ｃの斜視図であり、図１（ｂ）は、胸部骨格構造Ｃの側面図であり、図２は、胸部骨格構造Ｃの展開図であり、図３は、胸部骨格構造Ｃの簡略機構図であり、図４（ａ）は、肩部骨格Ｓ，Ｓが人形の前方向に回動した状態を示す胸部骨格構造Ｃの斜視図であり、図４（ｂ）は、胸部骨格構造Ｃを図１（ａ）の状態にした人形の斜視図であり、図４（ｃ）は、胸部骨格構造Ｃを図４（ａ）の状態にした人形の斜視図であり、図５（ａ）は、肩部骨格Ｓ，Ｓが人形の後方向に回動した状態を示す胸部骨格構造Ｃの斜視図であり、図５（ｂ）は、胸部骨格構造Ｃを図１（ａ）の状態にした人形の斜視図であり、図５（ｃ）は、胸部骨格構造Ｃを図５（ａ）の状態にした人形の斜視図であり、図６（ａ）は、肩部骨格Ｓ，Ｓが人形の下方向に回動した状態を示す胸部骨格構造Ｃの斜視図であり、図６（ｂ）は、胸部骨格構造Ｃを図１（ａ）の状態にした人形の斜視図であり、図６（ｃ）は、胸部骨格構造Ｃを図６（ａ）の状態にした人形の斜視図であり、図７（ａ）は、肩部骨格Ｓ，Ｓが人形の上方向に回動した状態を示す胸部骨格構造Ｃの斜視図であり、図７（ｂ）は、胸部骨格構造Ｃを図１（ａ）の状態にした人形の斜視図であり、図７（ｃ）は、胸部骨格構造Ｃを図７（ａ）の状態にした人形の斜視図である。
【００１０】
本発明は、前述した従来の軟質樹脂製人形に使用されている胸部骨格構造の改良であり、軟質樹脂製人形に使用される他の骨格群は、前述した従来の骨格構造を使用することができる。
本実施例では、胸部骨格構造Ｃは、図２に示すように、上方に首部骨格Ｎが連結される首側背骨部材Ｃ１と、下方に胴部骨格Ｔが連結される胴側背骨部材Ｃ２と、肩部骨格Ｓが連結され、該肩部骨格Ｓを人形の前後方向に回動可能な一対の肩部前後回動構造Ｃ３と、肩部骨格Ｓを人形の上下方向に回動可能な一対の肩部上下回動構造Ｃ４で構成されている。なお、骨格構造の材質は、ＡＢＳ樹脂、その他の樹脂、若しくは金属製など任意に選択される。
また、前記首側背骨部材Ｃ１と胴側背骨部材Ｃ２によって首部骨格Ｎと胴部骨格Ｔを結ぶ背骨軸Ｄが構成されている。なお、本実施例では、背骨軸Ｄは、首側背骨部材Ｃ１に形成される首側背骨軸Ｄ１と、胴側背骨部材Ｃ２に形成される胴側背骨軸Ｄ２とに分割される。また、首側背骨軸Ｄ１が胴側背骨軸Ｄ２に対して並行に配されるとともに、人形の後方向にオフセットして配されている。
【００１１】
首側背骨部材Ｃ１は、円柱状の首側背骨軸Ｄ１（背骨軸Ｄ）と、その円柱の高さ方向上端から、該首側背骨軸Ｄ１の軸線と直交して、水平方向に延設したつば部１０と、そのつば部１０の上面に突出して設けられ、首部骨格Ｎを連結する首骨格連結部１１とを含む。
なお、前記首側背骨軸Ｄ１の下端面１２には、ネジ穴１２ａが形成されている。また、首骨格連結部１１は、本実施例では、一例として、横方向に貫通した筒状に形成され、該筒状部に、首部骨格Ｎの連結ボルト（図示せず）が差し込まれることによって、首側背骨部材Ｃ１と首部骨格Ｎが連結固定される。なお、首骨格連結部１１は、前記構成に限定されるものではなく、連結される首部骨格Ｎの連結構造に合わせて形成されれば良い。
【００１２】
つば部１０の前方側端部１０ａからは、人形の前方に向けて（人形の前方向、図中の矢印参照）、なだらかに下降傾斜した前方突起３０が延出している。なお、前方突起３０の延出基端部分には、該前方突起３０とつば部１０に掛け渡されたリブ３６が形成されている。
また、前方突起３０は、その前方側面に胸骨面３１、その下端面に接合面３３を含む。
胸骨面３１は、前方突起３０の前方側の下降傾斜面に構成されるとともに、前方突起３０の突出方向と直交した面状に形成されている。
この胸骨面３１は、骨格構造に軟質樹脂製の外皮ＦＳが被せられた場合（図１（ｂ）中の２点鎖線参照）に、該外皮ＦＳのバストＭ上部に形成されるデコルテ部Ｆ（バストＭと首との間の皮膚面）が凹まないように、人形内部側から支持する。従って、胸骨面３１の傾斜角度は、外皮ＦＳのデコルテ部Ｆの傾斜角度に合わせて設定されることが好ましい。
【００１３】
さらに、前方突起３０の下端面には、後述する胴側背骨部材Ｃ２の前方突起接合部４１が接合する接合面３３が形成されている。接合面３３は、平面に形成されるとともに、ネジ穴３３ａを有している。
また、前方突起３０の胸骨面３１の下面（裏面）側には、後述する胴側背骨部材Ｃ２の胴側背骨軸Ｄ２の上端４２が嵌合固定される胴側背骨受け部３４が形成されている。なお、該胴側背骨受け部３４は、前記接合面３３と人形の背中方向に隣りあって配されている。
胴側背骨受け部３４の下端面は、円形に形成されるとともに、胴側背骨軸Ｄ２の上端２２の突起２２ａが嵌合可能な嵌合穴３４ａ（図示せず）を有している。なお、本実施例では、前記胴側背骨受け部３４の下端は、前記接合面３３及び、前記首側背骨軸Ｄ１の下端面１２よりも上方に位置している。
【００１４】
さらに、前方突起３０の胸骨面３１の下面（裏面）側には、前記胴側背骨受け部３４と人形の背中方向に隣りあって、補強板３５が形成されている。該補強板３５は、胴側背骨受け部３４から前方突起３０の突出方向に沿って、人形の背中方向に延出するとともに、前記首側背骨軸Ｄ１とは所定の隙間３５ａを有して形成されている。
【００１５】
胴側背骨部材Ｃ２は、胴骨格Ｔを連結可能な胴骨格連結部２０を備えるとともに、該胴骨格連結部２０が胴側背骨軸Ｄ２を形成している。具体的には、胴骨格連結部２０は、胴骨格Ｔの円柱状の連結部に外嵌可能に形成されるとともに、人形の上下方向に形成された連結穴２１であって、該連結穴２１の外殻部が胴側背骨軸Ｄ２となる。なお、胴側背骨軸Ｄ２の上端２２には、前記首部背骨部材Ｃ１の胴側背骨受け部３４に形成された嵌合穴３４ａと嵌合可能な突起２２ａが形成されている。
【００１６】
胴側背骨軸Ｄ２の前方側には、該胴側背骨軸Ｄ２と隣り合って、前方突起接合部４１が形成されている。前方突起接合部４１は、その上端に、前記前方突起３０の接合面３３と面接触可能な平面に形成された接合面４１ａを備える。なお、該接合面４１ａは、前記胴側背骨軸Ｄ２の上端２２よりも、前記胴側背骨受け部３４の下端と接合面３３との高低差分と等しい段差を有して形成されている。これにより、前記胴側背骨軸Ｄ２の突起２２ａを首部背骨部材Ｃ１の胴側背骨受け部３４の嵌合穴３４ａに嵌合させた場合に、接合面４１ａが前記前方突起３０の接合面３３と面接触する。
【００１７】
さらに、該接合面４１ａには、前方突起接合部４１の下面まで貫通した貫通穴４１ｂが設けられている。この貫通穴４１ｂは、前記胴側背骨軸Ｄ２の突起２２ａを首部背骨部材Ｃ１の胴側背骨受け部３４の嵌合穴３４ａに嵌合させた場合に、前記前方突起３０の接合面３３のネジ穴３３ａと対面する位置に配されている。これにより、前方突起接合部４１の下側から図示しないネジが差し込まれ、該ネジが前記前方突起３０の接合面３３のネジ穴３３ａに締めこまれて、胴側背骨部材Ｃ２と首側背骨部材Ｃ１が一体に連結固定される。
前方突起接合部４１の前面は、垂直面に形成されるとともに、該垂直面は、前記前方突起３０と接合した場合に、胸骨面３１の下端と連続するように形成されている。
【００１８】
胴側背骨軸Ｄ２の後方側には、首側背骨軸受け部４２が形成されている。
首側背骨軸受け部４２は、人形の上下方向に直交した平面を有する円板状に形成されるとともに、該円板面の中心には、上下に貫通する貫通穴４３が形成されている。また、首側背骨軸受け部４２の上面４２ａには、前記首側背骨軸Ｄ１の下端面１２が嵌合可能な円形の凹み４２ｂが形成されている。
首側背骨軸受け部４２は、前記胴側背骨軸Ｄ２の突起２２ａを首部背骨部材Ｃ１の胴側背骨受け部３４の嵌合穴３４ａに嵌合させた場合に、首側背骨軸受け部４２の上面４２ａの凹み４２ｂに、前記首側背骨軸Ｄ１の下端面１２が嵌合する位置及び高さに配されている。
【００１９】
凹み４２ｂに、前記首側背骨軸Ｄ１の下端面１２が嵌合した状態において、首側背骨軸受け部４２の下側から図示しないネジが差し込まれ、該ネジが前記首側背骨軸Ｄ１の下端面１２のネジ穴１２ａに締めこまれることにより、首側背骨軸受け部４２に首側背骨軸Ｄ１がぶれることなく固定されるとともに、胴側背骨部材Ｃ２と首側背骨部材Ｃ１が一体に連結固定される。
首側背骨軸受け部４２の後端部分には、円板状の外周面上に、首側背骨軸Ｄ１を中心として左右対称に突出した一対の突起４４，４４が設けられている。
また、胴側背骨軸Ｄ２と首側背骨軸受け部４２は補強板４５で連結されているとともに、該補強板４５の両側面（左側及び右側の面）には、それぞれ、補強リブ４６が備えられている。
【００２０】
一対の肩部前後回動構造Ｃ３は、それぞれ、前記首側背骨軸Ｄ１の周りを水平方向に回動する水平方向回動部５０と、該水平方向回動部５０から延設された板状部材５２とで構成される。
水平方向回動部５０は、人形の上下方向（図の上下方向と同じ。図中の矢印参照）に、円板面を有する円筒に形成されている。また、該円筒の径中心の穴５１は、前記首側背骨軸Ｄ１の外径よりも僅かに大径に形成されるとともに、該穴５１の内径周面には、部分的に、前記首側背骨軸Ｄ１の外径よりも僅かに小径となる小径部５１ａが形成されている。本実施例では、小径部５１ａは、穴５１の断面視円形の内径のうち、３箇所を直線に形成することによって小径にしている。なお、小径部５１ａは、内径周面を軸方向に連続して形成されている。
これにより、水平方向回動部５０を首側背骨軸Ｄ１に外嵌した場合に、首側背骨軸Ｄ１（背骨軸Ｄ）の周りを水平方向に回動（図２中の円弧状矢印Ａ及び図３（ａ）参照）可能となる。その場合に、前記小径部５１ａのみが水平方向回動部５０の外周面ときつく当接して摺動することとなり、回動時の適度な渋さを実現しており、肩部骨格Ｓを任意の回動角度に保持することができる。
【００２１】
なお、水平方向回動部５０の外径は、前記首側背骨部材Ｃ１のつば部１０と同径に形成されている。
また、一対の水平方向回動部５０のうち、一方の水平方向回動部５０が、つば部１０の下面に当接するように首側背骨軸Ｄ１に外嵌され、他方の水平方向回動部５０は、その上面が、該一方の水平方向回動部５０の下面に当接するように首側背骨軸Ｄ１に外嵌される。このとき、水平方向回動部５０の径方向の厚みが、前記首側背骨部材Ｃ１の補強板３５と首側背骨軸Ｄ１との隙間３５ａに収容される。
板状部材５２は、前記水平方向回動部５０の外径面の軸方向に連続した一部分から、径方向外向きに直状の板状体に延設されている。さらに、板状部材５２は、水平方向回動部５０が前述のように首側背骨軸Ｄ１に外嵌された場合に、前記首側背骨軸受け部４２の突起４４がある高さまで、下方に向けて垂直に延出している。すなわち、板状部材５２の下方端５２ａを突起４４の位置にあわせるため、一対の水平方向回動部５０では、その延出長さがそれぞれ相違している。
【００２２】
また、一対の水平方向回動部５０を首側背骨軸Ｄ１に外嵌する場合には、それぞれの水平方向回動部５０に延設された板状部材５２が、互いに首側背骨軸Ｄ１を挟んで反対側に配される。
これにより、水平方向回動部５０が首側背骨軸Ｄ１の周りを人形の後側に向けて回動した場合に、板状部材５２の下端部５２ａの後側の面が突起４４と当接した角度において、それ以上の回動が制限される。従って、回動が所望の角度となったときに、板状部材５２の下端部５２ａの後側の面が突起４４と当接するように突起４４，４４の設置位置を設定すれば、水平方向回動部５０の回動を所望の角度で制限することができる。
【００２３】
一対の肩部上下回動構造Ｃ４は、それぞれ、上下方向回動部６０と、該上下方向回動部６０を回動可能に支持する回動部支持部６１と、肩部骨格支持部７０とで構成される。
上下方向回動部６０は、人形の後側に向けて水平に伸びて、上下方向回動部６０の回動の中心となる回動軸６４と、該回動軸６４の前側端から延設されたアーム６５と、該アーム６５の上端に設けられた肩部骨格支持部７０で構成されている。
【００２４】
アーム６５は、人形の前後方向に所定の厚みで形成された直状の板状体であり、前記回動軸６４の前側端から所定の寸法で上方に向けて延設されている。
肩部骨格支持部７０は、径の軸芯を人形の左右方向に向けた、前記アーム６５の厚みよりも大径の外径面７２をもった円筒状に形成されている。
肩部骨格支持部７０は、図１（ｂ）に示すように、首側背骨軸Ｄ１と胴側背骨軸Ｄ２の中間に位置するように配されている。また、肩部骨格支持部７０の外径面７２の後端は、アーム６５の後面よりも後側に位置している。
また、正面視右側の肩部骨格Ｓが連結される肩部骨格支持部７０の右端は、前記アーム６５の右端よりも右側に突出して形成され、正面視左側の肩部骨格Ｓが連結される肩部骨格支持部７０の左端は、前記アーム６５の左端よりも左側に突出して形成されている。
【００２５】
肩部骨格支持部７０の円筒の径中心の穴７１は、肩部骨格Ｓの連結軸Ｓ１を内嵌可能に形成されている。この場合、穴７１は、連結軸Ｓ１の外径よりも僅かに大径に形成されるとともに、該穴７１の内径周面には、部分的に、連結軸Ｓ１の外径よりも僅かに小径となる小径部７１ａが形成されている。本実施例では、小径部７１ａは、穴７１の断面視円形の内径のうち、３箇所を直線に形成することによって小径にしている。なお、小径部７１ａは、内径周面を軸方向に連続して形成されている。
これにより、連結軸Ｓ１を穴７１に外嵌した場合に、前記小径部７１ａのみが連結軸Ｓ１の外周面ときつく当接して摺動することとなり、肩部骨格Ｓを肩部骨格支持部７０の円筒の軸芯に沿って回転させることが可能となるとともに、回転時のの適度な渋さを実現しており、肩部骨格Ｓを任意の角度に保持することができる。
【００２６】
回動部支持部６１は、前記板状部材５２の下方端５２ａ側の前方側の面から、円筒状体が、前方側に向けて、板状部材５２の前方側の面と直交し、首側背骨軸Ｄ１の軸線に対して水平に突出している。該円筒状体の径中心には、後述する上下方向回動部６０を回動可能に支持する回動部支持穴６２が形成されている。
すなわち、回動部支持穴６２は、前記首部背骨軸Ｄ１を水平方向に直交する仮想延長線Ｌ（図２中の破線矢印Ｌ参照）の所定位置（矢印Ｌの寸法）にて、その仮想延長線Ｌに対して水平方向に直交する仮想水平軸Ｅ（図２中の２点鎖線Ｅ参照）を径中心として形成されている。
なお、回動部支持部６１が前記板状部材５２の下方端５２ａ側の前方側の面から突出する寸法は、前記肩部骨格支持部７０の外径面７２の後端が、アーム６５の後面よりも突出した寸法よりも僅かに大きい寸法に設定されている。また、回動部支持部６１の外径は、アーム６５が上方に向けて延設された所定の寸法よりも小径に設定されている。
【００２７】
肩部上下回動構造Ｃ４は、前記上下方向回動部６０の回動軸６４が、回動部支持部６１の回動部支持穴６２に嵌合されて、回動軸６４の軸芯（仮想水平軸Ｅ）を中心として回動した場合に、肩部骨格支持部７０に連結された肩部骨格Ｓを上下方向に回動させる（図２中の円弧矢印Ｂ及び図３（ｂ）参照）。
なお、図示を省略したが、回動軸６４の後側端部にはネジ穴が設けられている。回動軸６４は、回動部支持部６１の回動部支持穴６２に嵌合した後に、回動部支持穴６２の後側から、皿つきネジが締めこまれることによって、回動部支持穴６２から脱落しないように保持される。
【００２８】
以下に、本発明による胸部骨格構造Ｃを使用した軟質樹脂製人形の姿勢の変化について説明する。
まず、図４（ａ）に示すように、肩部骨格Ｓ，Ｓを人形の前方向に回動した場合には、軟質樹脂製人形の姿勢は、肩部骨格Ｓ，Ｓを人形の前方向に回動しない場合（図４（ｂ）参照）の姿勢から、図４（ｃ）に示す姿勢に変化する。この場合、肩部骨格Ｓ，Ｓの回動によって、人形の肩関節Ｓ２，Ｓ２が前方向に移動するとともに、該肩関節Ｓ２，Ｓ２に引っ張られて、樹脂製人形の外皮ＦＳの肩口の部分が前方向に移動している。それに伴ない、鎖骨を模した部分やバストＭが体の中央に寄せられている。このとき、外皮ＦＳがたるんで、デコルテ部Ｆが体の内部方向に移動する力が働くが、デコルテ部Ｆは、前方突起３０の胸骨面３１によって、人形内部側から支持されているので、不自然に窪むことがない。これにより、軟質樹脂製人形は、猫背で華奢な印象を醸すことができる。
【００２９】
次に、図５（ａ）に示すように、肩部骨格Ｓ，Ｓを人形の後方向に回動した場合には、軟質樹脂製人形の姿勢は、肩部骨格Ｓ，Ｓを人形の後方向に回動しない場合（図５（ｂ）参照）の姿勢から、図５（ｃ）に示す姿勢に変化する。この場合、肩部骨格Ｓ，Ｓの回動によって、人形の肩関節Ｓ２，Ｓ２が後方向に移動するとともに、該肩関節Ｓ２，Ｓ２に引っ張られて、樹脂製人形の外皮ＦＳの肩口の部分が後方向に移動している。それに伴ない、鎖骨を模した部分やバストＭが体側方向に引っ張られている。このとき、外皮ＦＳのデコルテ部Ｆには、外皮ＦＳが左右にが引っ張られて平坦になる力が働くが、デコルテ部Ｆは、前方突起３０の胸骨面３１によって、人形内部側から支持されているので、現実の人間のように、胸の中央部分が最も前方に位置状態を保つ。これにより、軟質樹脂製人形は、鳩胸で豊満な明るい印象を醸すことができる。
【００３０】
次に、図６（ａ）に示すように、肩部骨格Ｓ，Ｓを人形の下方向に回動した場合には、軟質樹脂製人形の姿勢は、肩部骨格Ｓ，Ｓを人形の下方向に回動しない場合（図６（ｂ）参照）の姿勢から、図６（ｃ）に示す姿勢に変化する。この場合、肩部骨格Ｓ，Ｓの回動によって、人形の肩関節Ｓ２，Ｓ２が下方向に移動するとともに、該肩関節Ｓ２，Ｓ２に引っ張られて、樹脂製人形の外皮ＦＳの肩口の部分が下方向に移動している。それに伴ない、首筋から肩にかけた部分や、鎖骨を模した部分が下方向に引っ張られている。これにより、軟質樹脂製人形は、なで肩で艶やかな印象を醸すことができる。
【００３１】
次に、図７（ａ）に示すように、肩部骨格Ｓ，Ｓを人形の上方向に回動した場合には、軟質樹脂製人形の姿勢は、肩部骨格Ｓ，Ｓを人形の上方向に回動しない場合（図７（ｂ）参照）の姿勢から、図７（ｃ）に示す姿勢に変化する。この場合、肩部骨格Ｓ，Ｓの回動によって、人形の肩関節Ｓ２，Ｓ２が上方向に移動するとともに、該肩関節Ｓ２，Ｓ２に引っ張られて、樹脂製人形の外皮ＦＳの肩口の部分が上方向に移動している。それに伴ない、鎖骨を模した部分やバストＭが上方向に引っ張られている。これにより、軟質樹脂製人形は、いかり肩で大柄に見えて屈強そうな印象を醸すことができる。
【００３２】
本実施例の胸部骨格構造Ｃは、背骨軸Ｄ（首側背骨軸Ｄ１及び胴側背骨軸Ｄ２）は、人形の垂直軸に沿って垂直に備えられている。これにより、肩部前後回動構造Ｃ３では、肩部骨格Ｓは、首側背骨軸Ｄ１の周りを前後方向に、最前から最後まで、純粋な水平変位のみで、回動することができる。すなわち、前後方向の回動動作から上下方向の変位を排除することができる。
また、肩部上下回動構造Ｃ４では、首側背骨軸Ｄ１に対して水平に突出した仮想線Ｅを中心に回動する。これにより、肩部骨格Ｓは、上下方向に、最上から最下まで、純粋な垂直変位のみで、回動することができる。すなわち、上下方向の回動動作から前後方向の変位を排除することができる。
【００３３】
もちろん、上記肩部前後回動構造Ｃ３の回動と肩部上下回動構造Ｃ４の回動を組み合わせることにより、肩部骨格Ｓは前後上下の任意の位置に変位させることができるので、軟質樹脂製人形に、複雑なポージングをさせることが可能である。例えば、左側の肩部骨格Ｓは、後方向かつ上方向に回動させ、さらに、右側の肩部骨格Ｓは、前方向かつ下方向に回動させることも可能である。このようなポージングをさせることによって、テニスのサーブを打つ姿勢や、格闘技の攻撃の準備と防御の姿勢など、躍動的で豊かなポージング表現が可能となる。
【００３４】
本実施例では、上記肩部前後回動構造Ｃ３と肩部上下回動構造Ｃ４の双方を備えた例を説明したが、この構成に限定されず、上記肩部前後回動構造Ｃ３と肩部上下回動構造Ｃ４のいずれか一方のみが備えられている場合も本発明の範囲内である。
また、背骨軸Ｄは、首側背骨部材Ｃ１に形成される首側背骨軸Ｄ１と、胴側背骨部材Ｃ２に形成される胴側背骨軸Ｄ２とに分割され、首側背骨軸Ｄ１が胴側背骨軸Ｄ２に対して、並行に配されるとともに、人形の後方向にオフセットして配したが、この構成に限定されるものではなく、分割された首側背骨軸Ｄ１と胴側背骨軸Ｄ２がオフセットされずに一本の軸線上に配されていたり、或いは、背骨軸Ｄが分割されずに連続して形成されていたりする構成であっても本発明の範囲内である。また、首側背骨軸Ｄ１が胴側背骨軸Ｄ２に対して並行ではなく、角度を持って配されている構成も本発明の範囲内である。
【００３５】
本実施例では、板状部材５２やアーム６５は直状の板状体に形成したが、これに限定されず、前後方向や左右方向に曲面状の板として形成されていても良い。また、胴側背骨部材Ｃ２を備えず、首側背骨部材Ｃ１に胴骨格Ｔを連結可能な胴骨格連結部２０を備えている構成も本発明の範囲内である。この場合には、首側背骨軸Ｄ１の下端面１２のネジ穴１２ａには、皿つきネジを締めこむ等により、首側背骨軸Ｄ１から水平方向回動部５０が抜け落ちないようにすれば良い。
【図面の簡単な説明】
【００３６】
【図１】（ａ）は、胸部骨格構造の斜視図であり、（ｂ）は、胸部骨格構造の側面図である。
【図２】胸部骨格構造の展開図である。
【図３】胸部骨格構造の簡略機構図である。
【図４】（ａ）は、肩部骨格が人形の前方向に回動した状態を示す胸部骨格構造の斜視図であり、（ｂ）は、胸部骨格構造を図１（ａ）の状態にした人形の斜視図であり、図４（ｃ）は、胸部骨格構造を図４（ａ）の状態にした人形の斜視図である。
【図５】（ａ）は、肩部骨格が人形の後方向に回動した状態を示す胸部骨格構造の斜視図であり、（ｂ）は、胸部骨格構造を図１（ａ）の状態にした人形の斜視図であり、（ｃ）は、胸部骨格構造を図５（ａ）の状態にした人形の斜視図である。
【図６】（ａ）は、肩部骨格が人形の下方向に回動した状態を示す胸部骨格構造の斜視図であり、（ｂ）は、胸部骨格構造を図１（ａ）の状態にした人形の斜視図であり、（ｃ）は、胸部骨格構造を図６（ａ）の状態にした人形の斜視図である。
【図７】（ａ）は、肩部骨格が人形の上方向に回動した状態を示す胸部骨格構造の斜視図であり、（ｂ）は、胸部骨格構造を図１（ａ）の状態にした人形の斜視図であり、（ｃ）は、胸部骨格構造を図７（ａ）の状態にした人形の斜視図である。
【符号の説明】
【００３７】
１０  上端部
Ｃ  胸部骨格
Ｃ３  肩部前後回動構造
Ｃ４  肩部上下回動構造
ＦＳ  外皮
Ｎ  首部骨格
Ｓ，Ｓ  一対の肩部骨格
Ｔ  胴部骨格
【図１】
0005203738.tif 000002
【図２】
0005203738.tif 000003
【図３】
0005203738.tif 000004
【図４】
0005203738.tif 000005
【図５】
0005203738.tif 000006
【図６】
0005203738.tif 000007
【図７】
0005203738.tif 000008